(57)【特許請求の範囲】
【請求項１】
現在時刻を計時する時計手段と、
単位料金を課金する単位時間を記憶する記憶手段と、
前記現在時刻が更新される度に、該現在時刻から前記単位時間のｎ倍の時間を減算して前記単位料金のｎ倍の駐車料金が適用される最終入場時刻を算出し、この場合、ｎを１からＮ（Ｎは自然数）まで１ずつ増加させて、Ｎ個の駐車料金のそれぞれに対応する最終入場時刻を算出する最終入場時刻算出手段と、
前記最終入場時刻算出手段が算出した各最終入場時刻と、前記各最終入場時刻に対応する前記駐車料金とを対応させて表示する表示手段とを有すること、
を特徴とする駐車料金表示装置。
【請求項２】
現在時刻を計時する時計手段と、
入場直後の駐車料金として基本料金を課金する初期時間と、前記初期時間が経過した後に追加単位料金を課金する追加単位時間とを記憶する記憶手段と、
前記現在時刻が更新される度に、該現在時刻から前記初期時間を減算して前記基本料金が適用される最終入場時刻を算出し、かつ、前記最終入場時刻から前記追加単位時間のｎ倍の時間を減算して前記基本料金と前記追加単位料金のｎ倍の追加料金との和からなる駐車料金が適用される最終入場時刻を算出し、この場合、ｎを１からＮ（Ｎは自然数）まで１ずつ増加させて、Ｎ個の駐車料金のそれぞれに対応する最終入場時刻を算出する最終入場時刻算出手段と、
前記最終入場時刻算出手段により算出された各最終入場時刻と、前記各最終入場時刻に対応する駐車料金とを対応させて表示する表示手段とを有すること、
を特徴とする駐車料金表示装置。
【請求項３】
現在時刻を計時する時計手段と、
単位時間と、該単位時間に対して課金する単位料金とを記憶する記憶手段と、前記現在時刻が更新される度に、該現在時刻から前記単位時間のｎ倍の時間を減算して前記単位料金のｎ倍の駐車料金が適用される最終入場時刻を算出し、この場合、ｎを１からＮ（Ｎは自然数）まで１ずつ増加させて、Ｎ個の最終入場時刻を算出する最終入場時刻算出手段と、
前記記憶手段の前記単位料金に基づいて前記Ｎ個の最終入場時刻に対応する駐車料金を算出する料金算出手段と、
前記最終入場時刻算出手段により算出された各最終入場時刻と、前記料金算出手段により算出された各駐車料金とを対応させて表示する表示手段とを有すること、
を特徴とする駐車料金表示装置。
【請求項４】
現在時刻を計時する時計手段と、
入場直後の駐車料金として基本料金を課金する初期時間と、前記基本料金と、前記初期時間が経過した後に追加単位料金を課金する追加単位時間と、前記追加単位料金とを記憶する記憶手段と、
前記現在時刻が更新される度に、該現在時刻から前記初期時間を減算して前記基本料金が適用される最終入場時刻を算出し、かつ、前記最終入場時刻から前記追加単位時間のｎ倍の時間を減算して前記基本料金と前記追加単位料金のｎ倍の追加料金との和からなる駐車料金が適用される最終入場時刻を算出し、この場合、ｎを１からＮ（Ｎは自然数）まで１ずつ増加させて、Ｎ個の駐車料金のそれぞれに対応する最終入場時刻を算出する最終入場時刻算出手段と、
前記記憶手段の前記基本料金及び前記追加単位料金に基づいて前記各最終入場時刻に対応する駐車料金をそれぞれ算出する料金算出手段と、
前記最終入場時刻算出手段により算出された各最終入場時刻と前記料金算出手段により算出された駐車料金とを対応させて表示する表示手段とを有すること、を特徴とする駐車料金表示装置。
【請求項５】
記憶手段は、日、曜日、月及び時間帯の少なくとも１つの時間条件に対応して設定された単位時間及びその単位時間に対応する単位料金をも記憶するものであり、時計手段は、日、曜日及び月の少なくとも１つを含むカレンダデータをも出力するものであり、最終入場時刻算出手段は、前記時計手段が出力する現在時刻及び前記カレンダデータが前記時間条件のどれに該当するかを判定し、その判定結果に対応する前記単位時間及び前記単位料金を前記記憶手段から選択するものであることを特徴とする請求項１〜請求項４のいずれかに記載された駐車料金表示装置。
【発明の詳細な説明】
【０００１】
【発明の属する技術分野】
本発明は、時間貸し駐車場において用いられる駐車料金表示装置に関する。
【０００２】
【従来の技術】
無人の時間貸し駐車場では、出入口にカーゲートを設けて駐車券を使用する、いわゆるゲート式駐車場と、駐車場内の各駐車エリアに車両の出入を規制する出入制御機構を設けた個別管理式駐車場とがある。出入制御機構としては、例えば、フラップを起伏させて車両の出入を規制するものが一般的に知られている。
いずれの駐車場でも、入場時刻から出場時刻までの駐車時間に応じた駐車料金を算出表示し、その駐車料金を収受したことに基づき、車両の出場を許可するようになっている。
【０００３】
以下、ゲート式駐車場を例にとって駐車料金の精算処理について説明する。駐車場の入口には、車両が入口に接近したことを検知する車両検知器、駐車券に入場時刻を印字・記録して発行する駐車券発行機、及び車両の入場を規制するカーゲートが設けられている。一方、出口には、上記駐車券から読取った入場時刻と出場時刻（現在時刻）に基づいて駐車料金の精算や収受を行う料金精算機、入口側と同様の車両検知器及びカーゲートが設けられている。
【０００４】
そして、入口の車両検知器が車両を検知すると、駐車券発行機が駐車券を発行する。その駐車券が駐車券発行機の駐車券発行口（以下、発行口という）から抜き取られると、入口のカーゲートを開放して、当該車両の駐車場への入場を可能にする。
一方、出口の車両検知器が車両を検知すると、料金精算機が駐車券挿入口（以下、挿入口という）のシャッタを開放する。上記挿入口に駐車券が挿入されると、料金精算機はその駐車券から読取った入場時刻と現在時刻とに基づいて駐車時間を算出し、その駐車時間に対応した駐車料金の金額を算出して表示する。表示した金額の駐車料金を収受すると、出口のカーゲートを開放して、当該車両の出場を可能にする。
【０００５】
駐車料金の金額は、複数種類の計算方法により設定されているのが一般的である。以下にその代表的な例を説明する。
ａ）最初の１時間は基本料金として５００円、以後、３０分毎に追加料金として２５０円といったように、初期時間及び基本料金と、それ以後の単位時間及び追加単位料金とが別個に設定されているもの。
ｂ）昼間（午前７時〜午後１０時まで）は３０分毎に３００円、夜間（午後１０時〜午前７時まで）は３０分毎に２００円といったように、時間帯に応じて単位時間及び単位料金が設定されているもの。
【０００６】
料金精算機は、挿入された駐車券に記録されている入場時刻を読取り、この入場時刻から出場時刻（現在時刻）までの駐車時間に対して、上述したような初期時間と基本料金又は単位時間と追加単位料金、あるいは、単位時間と単位料金を用いて、駐車料金を算出して表示し、精算を行う。
【０００７】
【発明が解決しようとする課題】
駐車料金の算出方法が、上記ｂ）のように、単位時間と単位料金のみに基づく単純な場合には、利用者は、駐車券に印字されている入場時刻と現在時刻に基づいて駐車料金の金額を暗算することも可能である。しかしながら、上記ａ）その他のように、算出方法が単純でなかったり、別計算される宿泊料金があったりすると、暗算することが難しく、駐車券を料金精算機に挿入して駐車料金が表示されるまで、支払うべき料金の金額を認識することができない。このため、利用者は、表示された金額を見た後に、財布から所要の現金を取り出して精算するため、駐車場の出口に到達してから出場するまでに時間がかかってしまう。
出口での精算所要時間を分析すると、料金精算機の処理時間、すなわち駐車券から情報を読み取って料金を算出し表示する時間及び投入された貨幣の認識時間等に対して、利用者の動作時間、すなわち現金を準備する時間の割合が大きいことがわかっている。そして、この後者の時間が長くかかることが、駐車場の出口における渋滞の原因となっている。
【０００８】
このような出口渋滞を解消するためには、利用者が車両に乗る前に精算機で駐車料金を精算するようにした事前精算方式を採る駐車場もあるが、装置が高価で設備投資額が大きく、集金及び集計の手間もかかる欠点がある。また、駐車券を精算機に挿入するまで駐車料金が不明であるため、料金表示がなされてから現金を取り出すので、精算所要時間は上述した場合と変わらない。そのため、事前精算所が混雑するといった欠点も生じる。
【０００９】
本発明は、このような事情に基づいてなされたもので、その課題は、利用者が駐車券を料金精算機に挿入する前に、駐車料金表示部に表示されている金額を見て、料金支払いの準備を行えるようにすることにより、精算所要時間の短縮を図り、もって出口渋滞を招来しない駐車料金表示装置を提供することにある。
【００１０】
【課題を解決するための手段】
本発明は、上記課題を解決するため、基本的には、複数区分の駐車時間に対応する複数ステップの駐車料金の金額を、同金額の駐車料金が適用される最終入場時刻に対応させて表示することにより、利用者の便宜を図ったものである。
請求項１の駐車料金表示装置は、現在時刻を計時する時計手段と、単位料金を課金する単位時間を記憶する記憶手段と、現在時刻が更新される度に、現在時刻から前記単位時間のｎ倍の時間を減算して前記単位料金のｎ倍の駐車料金が適用される最終入場時刻を算出し、この場合、ｎを１からＮ（Ｎは自然数）まで１ずつ増加させて、Ｎ個の駐車料金のそれぞれに対応する最終入場時刻を算出する最終入場時刻算出手段と、最終入場時刻算出手段が算出した各最終入場時刻と、各最終入場時刻に対応する駐車料金とを対応させて表示する表示手段とを有することを特徴としている。
上記構成によれば、単位料金の倍数によって示される駐車料金と、各駐車料金に対応する入場時刻の内、最終（最古）の入場時刻である最終入場時刻とが対応して表示手段に表示される。したがって、利用者は、現在時刻が判れば、駐車券に印字されている入場時刻と、表示手段に対応表示されている最終入場時刻及び駐車料金とを対照視認することにより、自分が支払うべき駐車料金の金額を容易に認識し、料金精算機に到達する前に、予め支払い準備をすることができる。
【００１１】
請求項２の駐車料金表示装置は、現在時刻を計時する時計手段と、入場直後の駐車料金として基本料金を課金する初期時間と、初期時間が経過した後に追加単位料金を課金する追加単位時間とを記憶する記憶手段と、現在時刻が更新される度に、現在時刻から初期時間を減算して基本料金が適用される最終入場時刻を算出し、かつ、最終入場時刻から追加単位時間のｎ倍の時間を減算して基本料金と追加単位料金のｎ倍の追加料金との和からなる駐車料金が適用される最終入場時刻を算出し、この場合、ｎを１からＮ（Ｎは自然数）まで１ずつ増加させて、Ｎ個の駐車料金のそれぞれに対応する最終入場時刻を算出する最終入場時刻算出手段と、最終入場時刻算出手段により算出された各最終入場時刻と、各最終入場時刻に対応する駐車料金とを対応させて表示する表示手段とを有することを特徴としている。
上記構成によれば、基本料金及び、基本料金と追加単位料金の倍数との和からなる駐車料金の複数の金額と、各金額に対応する最終入場時刻とが対応して表示手段に表示される。したがって、利用者は、現在時刻が判れば、駐車券に印字されている入場時刻と、表示手段に対応表示されている最終入場時刻及び駐車料金とを対照視認することにより、各自支払うべき駐車料金の金額を容易に認識することができる。
【００１２】
請求項３の駐車料金表示装置は、現在時刻を計時する時計手段と、単位時間と該単位時間に対する単位料金とを記憶する記憶手段と、現在時刻が更新される度に、現在時刻から単位時間のｎ倍の時間を減算して単位料金のｎ倍の駐車料金が適用される最終入場時刻を算出し、この場合、ｎを１からＮ（Ｎは自然数）まで１ずつ増加させて、Ｎ個の最終入場時刻を算出する最終入場時刻算出手段と、前記記憶手段の単位料金に基づいてＮ個の最終入場時刻に対応する駐車料金を算出する料金算出手段と、最終入場時刻算出手段により算出された各最終入場時刻と、料金算出手段により算出された各駐車料金とを対応させて表示する表示手段とを有することを特徴としている。
上記構成によれば、請求項１の駐車料金表示装置の作用に加えて、記憶手段に格納されている単位料金に基づいて駐車料金が算出されて表示手段に表示されるから、上記記憶手段の単位料金を変更することにより、表示手段に表示される駐車料金を変更することができる。
【００１３】
請求項４の駐車料金表示装置は、現在時刻を計時する時計手段と、入場直後の駐車料金として基本料金を課金する初期時間、該基本料金、初期時間が経過した後に追加単位料金を課金する追加単位時間、及び該追加単位料金を記憶する記憶手段と、現在時刻が更新される度に、現在時刻から初期時間を減算して基本料金が適用される最終入場時刻を算出し、かつ、最終入場時刻から前記追加単位時間のｎ倍の時間を減算して基本料金と追加単位料金のｎ倍の追加料金との和からなる駐車料金が適用される最終入場時刻を算出し、この場合、ｎを１からＮ（Ｎは自然数）まで１ずつ増加させて、Ｎ個の駐車料金のそれぞれに対応する最終入場時刻を算出する最終入場時刻算出手段と、記憶手段の基本料金及び追加単位料金に基づいて各最終入場時刻に対応する駐車料金をそれぞれ算出する料金算出手段と、最終入場時刻算出手段により算出された各最終入場時刻と料金算出手段により算出された駐車料金とを対応させて表示する表示手段とを有することを特徴としている。
上記構成によれば、請求項２の駐車料金表示装置の作用に加えて、記憶手段に格納されている基本料金及び追加単位料金に基づいて駐車料金が算出されて表示手段に表示される。上記記憶手段の基本料金及び追加単位料金を変更することにより、表示手段に表示される駐車料金を変更することができる。
【００１４】
請求項５の駐車料金表示装置は、記憶手段が、日、曜日、月及び時間帯の少なくとも１つの時間条件に対応して設定される単位時間及びその単位時間に対応する単位料金をも記憶するものであり、時計手段が、日付、曜日及び月の少なくとも１つ含むカレンダデータをも出力するものであり、最終時刻算出手段が、時計手段から出力される現在時刻及び前記カレンダデータが前記時間条件のどれに該当するかを判定し、その判定結果に対応する前記単位時間及び前記単位料金を前記記憶手段から選択するものであることを特徴としている。
上記構成によれば、請求項１〜請求項４の駐車料金表示装置の各作用に加えて、日、曜日、月及び時間帯の少なくとも１つの時間条件に対応して設定される単位時間及びその単位時間に対応する単位料金に基づいて駐車料金を算出して、表示手段に金額を表示することができる。
【００１５】
【発明の実施の形態】
次に、本発明について図面を参照しながら説明する。
図１は、本発明の駐車料金表示装置の一実施の形態を示すブロック図であり、図２は、表示手段の表示内容の一例を示す正面図であり、図３は、同駐車料金表示装置の動作を説明するフローチャートである。
【００１６】
まず、装置の構成を、図１を参照して説明する。
駐車料金表示装置１は、演算処理部２と、時計手段３と、記憶手段４と、表示手段５とを有している。
演算処理部２は、周知のマイクロコンピュータによって構成されており、少なくともＣＰＵ、制御プログラムやデータを格納するＲＯＭ、ワークエリアを提供するＲＡＭ、各手段３〜５と間で信号や情報の授受を行うための整合をとるインターフェースを備えている。演算処理部２は、ＣＰＵが上記制御プログラムを実行することによって、後に詳述する最終入場時刻算出手段２ａを実現する。
【００１７】
時計手段３は、少なくとも「時」及び「分」の数値データを含む現在時刻ｔｐを生成出力するものである。
【００１８】
記憶手段４には、当該駐車場に入場した直後の駐車料金としてに基本料金Ｐ１（例えば５００円）を課金する初期時間Ｔ１（例えば１時間）と、初期時間Ｔ１が経過した後に追加単位料金Ｐ２（２００円）を課金する追加単位時間Ｔ２（例えば３０分）とが記憶されている。記憶手段４は、ＲＯＭや半導体メモリによって構成されてもよいが、交換可能な記憶素子やディップスイッチ、あるいは、遠隔地からの送信により記憶内容の書換えが可能な記憶装置を用いる場合は、料金改定（時間又は金額）が容易にできるので好ましい。
【００１９】
この駐車場における駐車料金の金額体系について説明すると、入場後の初期時間（１時間）以内に出場する場合は、駐車料金は初期時間に対する基本料金である５００円となり、１時間を超過して１時間３０分以内に出場する場合は、基本料金に１回分の追加単位時間に対する追加単位料金が加算（５００円＋２００円）された７００円となる。以後、駐車時間が３０分超過する毎に、駐車料金は追加単位料金（２００円）が加算された９００円、１１００円、…と増額する。以下、上述した基本料金と、追加単位料金の加算に基づいて変化する駐車料金の各段階を「料金ステップ」という。
【００２０】
表示手段５は、図２に示すように、文字が印刷などされた固定表示部５ａと、時刻及び金額が各区分において可変表示される可変表示部５ｂとを有している。可変表示部５ｂには、電光表示器又は液晶表示器などを用いることができる。
そして、可変表示部５ｂには、現在時刻ｔｐと、最終入場時刻ｔｉ（ｔｉ１，ｔｉ２，ｔｉ３，ｔｉ４）と、それぞれの最終入場時刻に対応する駐車料金の金額ｐｉ（ｐｉ１，ｐｉ２，ｐｉ３，ｐｉ４）とが、対応表示されるようになっている。
【００２１】
上記駐車料金の各金額（ｐｉ１，ｐｉ２，ｐｉ３，ｐｉ４）は、それぞれ先に説明した各料金ステップ（５００円、７００円、９００円、１１００円）に相当している。上記最終入場時刻（ｔｉ１，ｔｉ２，ｔｉ３，ｔｉ４）は、それぞれ各駐車料金が適用される駐車時間の起算点である入場時刻の内、最終（最古）の入場時刻を示している。
こうして、表示手段５には、図２の例で説明すると、現在時刻表示欄に現在時刻は９時１７分（９：１７）であることが示され、第１段目の入場時刻と駐車料金の表示欄には、所持する駐車券に記録されている入場時刻が８時１７分（８：１７）以後の車両、すなわち、現在時刻から初期時間（１時間）前以後に入場した車両に適用される駐車料金は、５００円であることが示されている。また、第２段目の入場時刻と駐車料金の表示欄には、駐車券に記録されている入場時刻が７時４７分（７：４７）以後の車両、すなわち、現在時刻から初期時間と１回分の追加単位時間との和（１時間３０分）前以後に入場した車両に適用される駐車料金は、７００円であることが示されている。以下、第３段目以下の入場時刻と駐車料金の表示欄には、現在時刻から初期時間と順次複数回分の追加単位時間との和（２時間、２時間３０分）前以後に入場した車両に適用される駐車料金が、９００円、１１００円であることが示されている。
【００２２】
続いて、図３を参照して、演算処理部２によって実行される動作を説明する。この処理が起動されると、時計手段３から入力した現在時刻ｔｐを前回入力した時刻と比較して、現在時刻が更新されたか否かを判定する（Ｓ１）。更新されたならば、現在時刻ｔｐから初期時間Ｔ１（１時間）を減算し（Ｓ２）、これを第１の最終入場時刻ｔｉ１として、記憶手段４の第１の最終入場時刻を記憶するための所定エリアにセットする（Ｓ３）。
次に、後段のＳ５〜Ｓ８の一連のステップの繰返し回数を指定するための指定値ｎを「１」に設定する（Ｓ４）。計数値ｎが所定値Ｎ（Ｎは１以上の自然数。この実施例では「３」）に達するまで、Ｓ５〜Ｓ８のステップが繰返されるようになっている。
【００２３】
Ｓ５〜Ｓ８のステップの処理内容を説明すると、Ｓ５では、第１の最終入場時刻ｔｉ１から追加単位時間Ｔ２のｎ倍の時間を減算する。Ｓ６では、その減算後の値を第（ｎ＋１）の最終入場時刻とし、これを記憶手段４の第（ｎ＋１）の最終入場時刻を記憶するための所定エリアにセットする。Ｓ７では、ｎがＮに達したか否かを判定する。Ｓ８では、ｎをインクリメント（ｎ＋１）する。
【００２４】
Ｓ４で指定値ｎを１に設定した後は、第１の最終入場時刻ｔｉ１から追加単位時間Ｔ２の１倍の時間（３０分）を減算し（Ｓ５）、これを第２の最終入場時刻ｔｉ２として、記憶手段４の第２の最終入場時刻を記憶するための所定エリアにセットする（Ｓ６）。
次いで、今はｎ＝１であるため、Ｓ７の判定結果が“Ｎ”となるから、Ｓ８でｎをインクリメントして２とした後、Ｓ５に移行する。Ｓ５では、今度は、第１の最終入場時刻ｔｉ１から追加単位時間Ｔ２の２倍の時間（６０分）を減算し（Ｓ５）、これを第３の最終入場時刻ｔｉ３として、記憶手段４の第３の最終入場時刻を記憶するための所定エリアにセットする（Ｓ６）。
今はｎ＝２であるため、次のＳ７の判定結果が再び“Ｎ”となるから、Ｓ８でインクリメントして３とした後、Ｓ５に移行する。今度は、Ｓ５では、第１の最終入場時刻ｔｉ１から追加単位時間Ｔ２の３倍（９０分）を減算し（Ｓ５）、これを第４の最終入場時刻ｔｉ４として、記憶手段４の第４の最終入場時刻を記憶するための所定エリアにセットする（Ｓ６）。
次のＳ７においては、今はｎ＝３であるので、判定結果が“Ｙ”となるから、Ｓ９に移行する。
【００２５】
Ｓ９では、上述の処理によって生成され、記憶手段に格納された各最終入場時刻ｔｉ１〜ｔｉ４と、各最終入場時刻ｔｉ１〜ｔｉ４に対応する駐車料金の金額ｐｉ１〜ｐｉ４とを読出して表示手段５に出力する。これにより、各最終入場時刻に対応して駐車料金の金額が表示される。これで、一連の処理が終了する。上記一連の処理は、現在時刻が更新される度に、実行される。
【００２６】
上述した各ステップの動作を行う演算処理部２によって、最終入場時刻算出手段２ａが実現されている。
すなわち、最終入場時刻算出手段２ａは、現在時刻ｔｐが更新される度に、現在時刻ｔｐから初期時間Ｔ１を減算して基本料金ｐｉ１が適用される最終入場時刻ｔｉ１を算出し、かつ、その最終入場時刻ｔｉ１から追加単位時間Ｔ２のｎ倍を減算して、基本料金と追加単位料金Ｔ２のｎ倍の追加料金との和からなる駐車料金が適用される最終入場時刻ｔｉを算出し、その場合、ｎを１からＮ（Ｎは自然数）まで１ずつ増加させて、Ｎ個の駐車料金ｐｉ２〜ｐｉ４のそれぞれに対応する最終入場時刻ｔｉ（ｔｉ２，ｔｉ３，ｔｉ４）を算出している。
【００２７】
上述した実施の形態の駐車料金表示装置によれば、利用者は、その所持する駐車券に印字されている入場時刻と、表示手段５に表示されている各最終入場時刻ｔｉ１〜ｔｉ４とを対比し、その入場時刻よりも前の最も近い最終入場時刻に対応する料金ステップの金額を視認することにより、支払うべき駐車料金の金額をすぐに認識することができる。したがって、駐車券を料金精算機に挿入する前に、駐車料金支払いの準備を行うことができるから、精算所要時間が従来よりも著しく短縮される。ひいては出口渋滞の防止効果が得られる。
【００２８】
なお、図２に示されているように、表示手段５において、逐次更新されるのは、現在時刻ｔｐ及び各最終入場時刻ｔｉ１〜ｔｉ４である。一方、駐車料金の金額ｐｉ１〜ｐｉ４は変化しないので、表示手段５に上記各金額を予め印刷しておいたり、印刷したプレートを取り付けておいたりすれば、演算処理部２から表示手段５に各料金ステップの駐車料金ｐｉ１〜ｐｉ４を出力する必要はない。しかし、金額表示にも可変表示部を用いる場合は、料金改定の際に低コストで迅速に対応することができる利点がある。
【００２９】
また、表示手段５による現在時刻ｔｐの表示は、省略することもできる。駐車料金表示装置１の近傍に設置された時計、車載時計、あるいは利用者や同乗者などの携帯時計などによって、利用者が現在時刻を認識できる環境にあることが多いからである。
【００３０】
上述の例では、駐車料金体系（各料金ステップの駐車料金）が基本料金と追加料金の組合わせによって構成されている場合の、各料金ステップに対応する最終入場時刻の算出方法を説明したが、本発明は、駐車料金体系が１つの単位料金の正数倍で構成されている場合にも、適用することができる。この場合は、演算処理部２の最終入場時刻算出手段が、現在時刻が更新される都度に、現在時刻ｔｐから単位時間Ｔのｎ倍の時間を減算して、単位料金Ｐのｎ倍の駐車料金が適用される最終入場時刻ｔｉを算出し、その場合、ｎを１からＮ（Ｎは自然数）まで１ずつ増加させて、Ｎ個の駐車料金の金額のそれぞれに対応する最終入場時刻ｔｉを算出するように演算処理すればよい。
【００３１】
また、初期時間と基本料金及び追加単位時間と追加単位料金、又は単位時間と単位時間当たりの単位料金のそれぞれの設定値が、様々な時間的条件、例えば、昼間又は夜間といった時間帯、平日と祝祭日、あるいは特定日において、それぞれ異なっている場合がある。上記時間的条件は、１つとは限らず、複数の条件が組み合わせれている場合もある。このような場合には、駐車料金表示装置を以下のように構成することにより、各時間的条件に対応することができる。
すなわち、記憶手段４には、日、曜日、月及び時間帯の少なくとも１つの時間条件と、これに対応して設定される単位時間及びその単位時間に対応する単位料金とを記憶させる。時計手段３には、現在時刻のほかに、日、曜日及び月の少なくとも１つ含むカレンダデータを出力させる。すなわち、時計手段３をカレンダー手段に置換する。最終時刻算出手段２ａには、カレンダー手段（３）から出力される現在時刻ｔｐ及びカレンダデータが上記時間条件のどれに該当するかを判定させ、その判定結果に対応する単位時間及び単位料金を上記記憶手段４から読出して演算処理させる。
【００３２】
上述した実施の形態では、表示手段５に表示される各料金ステップの金額ｐｉは固定的に表示されている。したがって、基本料金Ｐ１及び追加単位料金Ｐ２、あるいは単位料金Ｐ２が改定された場合は、表示手段５に表示される各料金ステップの金額ｐｉをそれぞれ変更しなければならないという問題がある。この問題を解消する方法の一つとして、記憶手段４に記憶されている単位料金Ｐ１，Ｐ２の金額データを利用して、表示される駐車料金の金額ｐｉを算出することが可能である。このような機能を加えた実施の形態について、以下に説明する。
【００３３】
図４は、その実施の形態を示すブロック図である。図１に示した構成と異なる点のみ説明する。
記憶手段４は、入場直後に適用される基本料金Ｐ１及び基本料金Ｐ１の課金対象時間である初期時間Ｔ１と、初期時間Ｔ１が経過した後に適用される追加単位料金Ｐ２と、追加単位料金Ｐ２の課金対象時間である追加単位時間Ｔ２とを記憶している。
【００３４】
演算処理部２によって実現される料金算出手段２ｂは、記憶手段４の基本料金Ｐ１及び追加単位料金Ｐ２に基づいて、第１の最終入場時刻ｔｉ１及び第２の最終入場時刻ｔｉ２〜ｔｉ４に対応する駐車料金の金額ｐｉ１〜ｐｉ４をそれぞれ算出する。
そして、表示手段５は、最終入場時刻算出手段２ａにより算出された第１の最終入場時刻ｔｉ１及び第２の最終入場時刻ｔｉ２〜ｔｉ４と料金算出手段２ｂにより算出された各料金ステップの金額ｐｉ１〜ｐｉ４とを対応させて表示する。上記構成によれば、記憶手段４に格納されている基本料金Ｐ１及び追加単位料金Ｐ２を変更すれば、これに追随して各料金ステップの金額ｐｉ１〜ｐｉ４も算出される。そして、算出された金額が表示手段５に表示される。したがって、駐車料金が改定された場合は、記憶手段４の記憶内容を書き替えるのみで、改定後の金額を表示させることができる。
【００３５】
なお、駐車料金が１つの単位料金のみで算出される場合は、記憶手段４に単位料金と、この単位料金の課金対象である単位時間とを記憶させておき、演算処理部２によって実現される料金算出手段２ｂによって、記憶手段４の単位料金に基づいて最終入場時刻に対応する駐車料金を算出させて、表示手段５により、最終入場時刻算出手段２ａにより算出された最終入場時刻と、料金算出手段により算出された各料金ステップの金額とを対応表示させるようにすればよい。
【００３６】
以上には、本発明の駐車料金表示装置がゲート式駐車場に設置された場合について説明したが、本発明の駐車料金表示装置は、個別管理式駐車場及びその他の時間貸し駐車場に適用することも可能である。
【００３７】
なお、上述した実施の形態では、駐車料金表示装置を料金精算機と別体に設けたが、例えば、演算処理部２、時計手段３及び記憶手段４は、上記料金精算機に具備されているものを兼用し、かつ、表示手段５を増設することによって本発明の駐車料金表示装置を実現してもよい。
また、表示手段５は、駐車料金表示装置の本体から独立させて、利用者が視認しやすい位置に設けるようにしてもよい。
【００３８】
【発明の効果】
請求項１の駐車料金表示装置は、現在時刻が更新される都度に、現在時刻から単位時間のｎ倍の時間を減算して単位料金のｎ倍の駐車料金が適用される最終入場時刻を算出し、その場合、ｎを１からＮ（Ｎは自然数）まで１ずつ増加させて、Ｎ個の駐車料金のそれぞれに対応する最終入場時刻を算出し、各最終入場時刻と前記駐車料金とを対応させて表示するので、利用者は、所持する駐車券に印字されている入場時刻よりも前の最も近い最終入場時刻に対応して表示されている金額を視認することにより、支払うべき駐車料金をすぐに認識することができ、したがって、駐車券を料金精算機に挿入する前に、料金支払いの準備を行うことができる、よって、精算所要時間が著しく短縮されるので、出口渋滞を引起こすことなく、円滑に出場することができる。
【００４０】
請求項２の駐車料金表示装置は、現在時刻が更新される都度に、現在時刻から基本料金が適用される初期時間を減算して最終入場時刻を算出し、かつ、その最終入場時刻から追加単位料金が適用される追加単位時間のｎ倍を減算して基本料金及び追加単位料金のｎ倍の追加料金との和からなる駐車料金が適用される最終入場時刻を算出し、その場合、ｎを１からＮ（Ｎは自然数）まで１ずつ増加させて、Ｎ個の駐車料金のそれぞれに対応する最終入場時刻を算出し、各最終入場時刻と、各最終入場時刻に対応する前記駐車料金とを対応させて表示するので、利用者は、所持する駐車券に印字されている入場時刻よりも前の最も近い最終入場時刻に対応して表示されている金額を視認することにより、支払うべき駐車料金をすぐに認識することができ、したがって、駐車券を料金精算機に挿入する前に、料金支払いの準備を行うことができる、よって、精算所要時間が著しく短縮されるので、出口渋滞を引起こすことなく、円滑に出場することができる。
【００４１】
請求項３の駐車料金表示装置は、記憶手段に記憶されている単位料金に基づいて最終入場時刻に対応する駐車料金を算出し、前記最終入場時刻と算出された駐車料金とを対応させて表示するので、上記記憶手段の単位料金を変更することにより、表示手段に表示される駐車料金を自動的に変更することができる。
【００４２】
請求項４の駐車料金表示装置は、記憶手段に記憶されている最終入場時刻、基本料金及び追加単位料金に基づいて、前記最終入場時刻に対応する駐車料金をそれぞれ算出し、前記各最終入場時刻及び算出された駐車料金とを対応させて表示するので、上記記憶手段の基本料金及び追加単位料金を変更することにより、表示手段に表示される駐車料金を自動的に変更することができる。
【００４３】
請求項５の駐車料金表示装置は、記憶手段が、日、曜日、月及び時間帯の少なくとも１つの時間条件に対応して設定される単位時間及びその単位時間に対応する単位料金を記憶しており、時計手段が出力する日、曜日及び月の少なくとも１つ含むカレンダデータが前記時間条件のどれに該当するかを判定し、その判定結果に対応する前記単位時間及び前記単位料金を前記記憶手段から選択するので、日、曜日、月及び時間帯の少なくとも１つの時間条件に対応して設定された単位時間及びその単位時間に対応する単位料金に基づいて駐車料金を算出して表示することができる。
【図面の簡単な説明】
【図１】本発明の駐車料金表示装置の一実施の形態を示すブロック図である。
【図２】同装置における表示装置の表示内容の一例を示す正面図である。
【図３】同装置の動作フローチャートである。
【図４】本発明の駐車料金表示装置の他の実施の形態を示すブロック図である。
【符号の説明】
１，１Ａ  駐車料金表示装置
２    演算処理部
２ａ  最終入場時刻算出手段
２ｂ  料金算出手段
３    時計手段
４    記憶手段
５    表示手段
ｔｐ  現在時刻
Ｔ１  単位時間
Ｔ２  追加単位時間
Ｐ１  基本料金
Ｐ２  追加単位料金
ｔｉ  最終入場時刻
ｐｉ  駐車料金
【図１】
0003887091.tif 000002
【図２】
0003887091.tif 000003
【図３】
0003887091.tif 000004
【図４】
0003887091.tif 000005